(57)【要約】【課題】組立性を向上させること。【解決手段】下枠３ｂは、開閉体２が開口部Ｏｐを閉塞した閉状態で開閉体２と見込み方向に対向し、開閉体２と見込み方向に対向する側に下枠気密材４ｂが取り付けられる下枠対向部３２ｂと、下枠対向部３２ｂに対して開閉体２から離間する側に設けられ、沓摺部材５を下方から支持する沓摺支持部３３ｂとを備える。縦枠３ｃは、閉状態で開閉体２と見込み方向に対向するとともに下枠対向部３２ｂの上方に配置され、開閉体２と見込み方向に対向する側に縦枠気密材４ｃが取り付けられる縦枠対向部３２ｃを備える。沓摺部材５は、沓摺支持部３３ｂの上面、及び下枠対向部３２ｂの上面を跨いで設けられ、一部が下枠対向部３２ｂと縦枠対向部３２ｃとの間に挟まれている。【選択図】図４
2020033709.tif 000002
【特許請求の範囲】
【請求項１】
室内外を連通する開口部を開閉自在とする開閉体と、前記開口部を形成する枠体とを備えた建具であって、
前記枠体は、
前記開閉体が前記開口部を閉塞した閉状態で前記開閉体に当接する下枠気密材、及び弾性を有する沓摺部材が取り付けられた下枠と、
前記閉状態で前記開閉体に当接する縦枠気密材が取り付けられた縦枠とを備え、
前記下枠は、
前記閉状態で前記開閉体と見込み方向に対向し、前記開閉体と見込み方向に対向する側に前記下枠気密材が取り付けられる下枠対向部と、
前記下枠対向部に対して前記開閉体から離間する側に設けられ、前記沓摺部材を下方から支持する沓摺支持部とを備え、
前記縦枠は、
前記閉状態で前記開閉体と見込み方向に対向するとともに前記下枠対向部の上方に配置され、前記開閉体と見込み方向に対向する側に前記縦枠気密材が取り付けられる縦枠対向部を備え、
前記沓摺部材は、
前記沓摺支持部の上面、及び前記下枠対向部の上面を跨いで設けられ、一部が前記下枠対向部と前記縦枠対向部との間に挟まれている
ことを特徴とする建具。
【請求項２】
前記下枠気密材は、
前記縦枠気密材からの下方に向かう押圧力により、下方に向けて押圧されている
ことを特徴とする請求項１に記載の建具。
【請求項３】
前記沓摺部材は、
前記沓摺支持部の上面に位置する部位に対して前記下枠対向部と前記縦枠対向部との間に挟まれた部位が下方に段落ちした形状を有する
ことを特徴とする請求項２に記載の建具。
【請求項４】
前記沓摺部材と前記下枠対向部の上面との間には、
間隙が設けられている
ことを特徴とする請求項２または３に記載の建具。
【請求項５】
前記間隙には、
前記沓摺部材よりも軟質の軟質体が設けられている
ことを特徴とする請求項４に記載の建具。
【請求項６】
前記下枠気密材は、
前記縦枠気密材から直接、押圧されている
ことを特徴とする請求項２〜５のいずれか一つに記載の建具。
【請求項７】
前記下枠気密材は、
見込み方向に沿って前記開閉体側に延在した基体と、
前記基体における前記開閉体側の端部から上方に向けて屈曲した屈曲片とを備え、
前記屈曲片の下面には、
前記基体に対して前記屈曲片を下方に折り曲げる基点となる溝部が設けられている
ことを特徴とする請求項２〜６のいずれか一つに記載の建具。
【発明の詳細な説明】
【技術分野】
【０００１】
本発明は、玄関ドア等の建具に関する。
【背景技術】
【０００２】
従来、玄関ドア等の建具において、下枠に下枠気密材及び沓摺部材が取り付けられ、縦枠に縦枠気密材が取り付けられた構成が知られている（例えば、特許文献１参照）。
下枠気密材は、下枠における戸当たりの室外側に取り付けられ、ドアが閉じた閉状態で当該ドアに当接する。縦枠気密材も同様に、縦枠における戸当たりの室外側に取り付けられ、閉状態でドアに当接する。
沓摺部材は、下枠において、戸当たりよりも室内側に設けられた沓摺支持部により下方から支持される。そして、沓摺部材は、下枠における戸当たりの上面、及び沓摺支持部の上面を跨いで設けられている。
【先行技術文献】
【特許文献】
【０００３】
【特許文献１】特開２０１６−２０５９６号公報
【発明の概要】
【発明が解決しようとする課題】
【０００４】
ところで、下枠と縦枠とを縦勝ちで組み付けた場合には、縦枠における戸当たりは、下枠における戸当たりと見込み方向の位置が同一となり、当該下枠における戸当たりの戸先側及び吊元側の各端部の上方に位置付けられる。同様に、縦枠気密材は、下枠気密材と見込み方向の位置が同一となり、当該下枠気密材における戸先側及び吊元側の各端部の上方に位置付けられる。そして、沓摺部材は、縦枠における戸当たりの下端と、下枠における戸当たりの戸先側及び吊元側の各端部との間に挟まれないようにその一部が切り欠かれる。また、縦枠における戸当たりの下端と、下枠における戸当たりの戸先側及び吊元側の各端部との間には、止水性を確保するために、シーラーが挟み込まれる。
しかしながら、このような構成では、建具を組み立てるにあたり、沓摺部材に切欠きを入れる作業、及び縦枠における戸当たりの下端と、下枠における戸当たりの戸先側及び吊元側の各端部との間にシーラーを挟み込む作業が必要となり、組立性を向上することが難しい、という問題がある。
【０００５】
本発明は、上記実情に鑑みて、組立性を向上させることができる建具を提供することを目的とする。
【課題を解決するための手段】
【０００６】
上記目的を達成するため、本発明に係る建具は、室内外を連通する開口部を開閉自在とする開閉体と、前記開口部を形成する枠体とを備えた建具であって、前記枠体は、前記開閉体が前記開口部を閉塞した閉状態で前記開閉体に当接する下枠気密材、及び弾性を有する沓摺部材が取り付けられた下枠と、前記閉状態で前記開閉体に当接する縦枠気密材が取り付けられた縦枠とを備え、前記下枠は、前記閉状態で前記開閉体と見込み方向に対向し、前記開閉体と見込み方向に対向する側に前記下枠気密材が取り付けられる下枠対向部と、前記下枠対向部に対して前記開閉体から離間する側に設けられ、前記沓摺部材を下方から支持する沓摺支持部とを備え、前記縦枠は、前記閉状態で前記開閉体と見込み方向に対向するとともに前記下枠対向部の上方に配置され、前記開閉体と見込み方向に対向する側に前記縦枠気密材が取り付けられる縦枠対向部を備え、前記沓摺部材は、前記沓摺支持部の上面、及び前記下枠対向部の上面を跨いで設けられ、一部が前記下枠対向部と前記縦枠対向部との間に挟まれていることを特徴とする。
【発明の効果】
【０００７】
本発明に係る建具によれば、組立性を向上させることができる、という効果を奏する。
【図面の簡単な説明】
【０００８】
【図１】実施の形態１に係る建具を室外側から見た正面図である。
【図２】建具の縦断面図である。
【図３】建具の横断面図である。
【図４】建具の要部拡大縦断面図である。
【図５】戸先側気密材にて下枠気密材における戸先側の端部が圧縮される様子を説明する図である。
【図６】戸先側気密材にて下枠気密材における戸先側の端部が圧縮される様子を説明する図である。
【図７】実施の形態２に係る建具の要部拡大縦断面図である。
【発明を実施するための形態】
【０００９】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００１０】
（実施の形態１）
〔建具の概略構成〕
図１は、本実施の形態１に係る建具１を室外側から見た正面図である。なお、図１では、説明の便宜上、ヒンジ２５の図示を省略している。図２は、建具１の縦断面図である。図３は、建具１の横断面図である。
なお、以下で記載する「見込み方向」は、建具１の奥行きに沿った方向（図２，図３の矢印Ａｒの方向）である。見込み方向に沿った平面については、見込み面と称し、見込み方向に直交する平面については、見付け面と称する場合がある。
本実施の形態１では、建具１として、玄関に用いられるドア２と、当該ドア２を回動自在に支持する枠体３とを備えた建具を例に挙げて説明する。
【００１１】
ドア２は、枠状の骨組体２１の室外側及び室内側に外表面材２２及び内表面材２３をそれぞれ設け、内部に断熱材２４を設けた断熱パネルである。そして、骨組体２１を構成する吊元側の縦骨材２１ａは、複数のヒンジ２５を用いて枠体３（吊元側縦枠３ｄ）に連結されている。また、ドア２の上部と枠体３（上枠３ａ）との間は、ドアクローザ２６を用いて連結されている。これにより、ドア２は、枠体３に対して回動可能に支持され、当該枠体３にて形成された開口部Ｏｐを開閉する。すなわち、ドア２は、本発明に係る開閉体に相当する。
【００１２】
枠体３は、上枠３ａ、下枠３ｂ、図１中、左側に位置する戸先側縦枠３ｃ、及び図１中、右側に位置する吊元側縦枠３ｄを縦勝ちで四周枠組みすることによって構成され、建物の内外を連通する開口部Ｏｐを形成する。なお、戸先側縦枠３ｃ及び吊元側縦枠３ｄは、本発明に係る縦枠に相当する。
これら各枠部材３ａ〜３ｄは、アルミニウム等の金属製の押出形材であり、全長に亘って略一様な断面形状を有する。
【００１３】
ここで、上枠３ａ、下枠３ｂ、戸先側縦枠３ｃ、及び吊元側縦枠３ｄには、上枠気密材４ａ、下枠気密材４ｂ、戸先側気密材４ｃ、及び吊元側気密材４ｄがそれぞれ取り付けられている。これら上枠気密材４ａ、下枠気密材４ｂ、戸先側気密材４ｃ、及び吊元側気密材４ｄは、開口部Ｏｐ内において、矩形枠形状を有するように互いに連接されている。そして、ドア２は、開口部Ｏｐを閉塞する閉状態に設定された場合（図１〜図３の位置に位置付けられた場合）には、上枠気密材４ａ、下枠気密材４ｂ、戸先側気密材４ｃ、及び吊元側気密材４ｄにそれぞれ当接する。これにより、開口部Ｏｐにおける建物の内外の気密性が確保される。なお、戸先側気密材４ｃ及び吊元側気密材４ｄは、本発明に係る縦枠気密材に相当する。また、下枠３ｂには、弾性を有する沓摺部材５が取り付けられている。
以下、本発明の要部である戸先側縦枠３ｃ、吊元側縦枠３ｄ、戸先側気密材４ｃ、吊元側気密材４ｄ、下枠３ｂ、下枠気密材４ｂ、及び沓摺部材５の構成について説明する。
【００１４】
〔戸先側縦枠及び吊元側縦枠の構成〕
戸先側縦枠３ｃは、縦枠本体３１ｃと、縦枠対向部３２ｃとを備える。
縦枠本体３１ｃは、アルミニウム等の金属製の押出形材でそれぞれ構成された室外側の部位３１１ｃ及び室内側の部位３１２ｃの間が断熱材３１３ｃを介して連結された断熱構造（形材断熱構造）を有する。
【００１５】
縦枠対向部３２ｃは、室内側の部位３１２ｃにおける開口部Ｏｐに面する見込み面３１４ｃから枠体３の内側（戸先側縦枠３ｃの場合には図３中、左側、吊元側縦枠３ｄの場合には図３中、右側）に突出し、閉状態でドア２と見込み方向に対向する戸当たりである。この縦枠対向部３２ｃは、対向基部３２１ｃと、第１，第２の装着突起３２２ｃ，３２３ｃとを備える。
対向基部３２１ｃは、見込み面３１４ｃから枠体３の内側に突出した略平板形状を有する。
第１の装着突起３２２ｃは、対向基部３２１ｃの先端から室外側に向けて突出するとともに、先端が見込み面３１４ｃに向けて屈曲した形状を有する。
第２の装着突起３２３ｃは、見込み面３１４ｃにおける第１の装着突起３２２ｃの先端に対向する位置から当該第１の装着突起３２２ｃの先端に向けて突出した略平板形状を有する。
そして、縦枠対向部３２ｃには、対向基部３２１ｃ、第１，第２の装着突起３２２ｃ，３２３ｃにより、装着溝３２４ｃが設けられる。
【００１６】
ここで、戸先側縦枠３ｃでは、下方側の端面Ｅ１（図４参照）から一定の高さ寸法までに位置する縦枠対向部３２ｃが縦枠本体３１ｃ（室内側の部位３１２ｃ）から切除されている。すなわち、縦枠対向部３２ｃにおける下方側の端面Ｅ０（図４参照）は、縦枠本体３１ｃにおける下方側の端面Ｅ１よりも上方に位置する。なお、具体的な図示は省略したが、縦枠対向部３２ｃの上端側も同様である。
【００１７】
吊元側縦枠３ｄは、戸先側縦枠３ｃに対して左右対称となる形状を有する。すなわち、吊元側縦枠３ｄは、戸先側縦枠３ｃにおける縦枠本体３１ｃ（室外側の部位３１１ｃ、室内側の部位３１２ｃ、断熱材３１３ｃ、見込み面３１４ｃを含む）及び縦枠対向部３２ｃ（対向基部３２１ｃ、第１，第２の装着突起３２２ｃ，３２３ｃ、及び装着溝３２４ｃを含む）とそれぞれ同様の縦枠本体３１ｄ（室外側の部位３１１ｄ、室内側の部位３１２ｄ、断熱材３１３ｄ、見込み面３１４ｄを含む）及び縦枠対向部３２ｄ（対向基部３２１ｄ、第１，第２の装着突起３２２ｄ，３２３ｄ、及び装着溝３２４ｄを含む）を備える。
【００１８】
〔戸先側気密材及び吊元側気密材の構成〕
戸先側気密材４ｃは、例えば、ＴＰＥ（熱可塑性エラストマー）やＥＰＤＭ（エチレンプロピレンゴム）等で構成されている。なお、戸先側気密材４ｃの材料としては、その他の軟質樹脂やゴム等を採用しても構わない。この戸先側気密材４ｃは、縦枠対向部３２ｃの長手方向に沿って当該縦枠対向部３２ｃの略全長に亘って延在し、全長に亘って略一様な断面形状を有する。そして、戸先側気密材４ｃは、被装着部４１ｃと、緩衝部４２ｃと、シール部４３ｃとを備える。
被装着部４１ｃは、装着溝３２４ｃ内に挿通（装着）される部分である。すなわち、戸先側気密材４ｃは、縦枠対向部３２ｃにおけるドア２と見込み方向に対向する側に取り付けられる。この状態では、戸先側気密材４ｃにおける下方側の端面Ｅ２（図６参照）は、縦枠対向部３２ｃにおける下方側の端面Ｅ０と略同一の高さ位置となる。
緩衝部４２ｃは、被装着部４１ｃにおける装着溝３２４ｃ内から外部に突出した端部に接続する。この緩衝部４２ｃは、全長に亘って連通した中空形状を有する。すなわち、緩衝部４２ｃは、外力に応じて潰れることで弾性変形可能とする。
【００１９】
シール部４３ｃは、緩衝部４２ｃにおける吊元側（図３中、左側）で、かつ、室外側の角部から室外側に向けてヒレ状に突出した部分である。より具体的に、シール部４３ｃは、室外側に向かうにしたがって縦枠本体３１ｃ側に湾曲しながら突出する。また、シール部４３ｃにおいて、根元には、縦枠本体３１ｃ側の面に当該シール部４３ｃの折り曲げの基点となる溝部４３１ｃが設けられている。そして、シール部４３ｃは、閉状態でドア２に当接すると、溝部４３１ｃを基点として縦枠本体３１ｃ側に折り曲げられる。
【００２０】
吊元側気密材４ｄは、戸先側気密材４ｃと同様の材料で構成されている。この吊元側気密材４ｄは、縦枠対向部３２ｄの長手方向に沿って当該縦枠対向部３２ｄの略全長に亘って延在し、全長に亘って略一様な断面形状を有する。また、吊元側気密材４ｄは、戸先側気密材４ｃにおける被装着部４１ｃ及び緩衝部４２ｃとそれぞれ同様の被装着部４１ｄ及び緩衝部４２ｄを備える。そして、吊元側気密材４ｄは、被装着部４１ｃが装着溝３２４ｄ内に挿通（装着）されることにより、縦枠対向部３２ｄに取り付けられる。すなわち、吊元側気密材４ｄは、縦枠対向部３２ｄにおけるドア２と見込み方向に対向する側に取り付けられる。この状態では、吊元側気密材４ｄにおける下方側の端面（図示略）は、縦枠対向部３２ｄにおける下方側の端面（図示略）と略同一の高さ位置となる。
【００２１】
また、吊元側気密材４ｄは、第１，第２のシール部４３ｄ，４４ｄを備える。
第１のシール部４３ｄは、緩衝部４２ｄにおける戸先側（図３中、右側）で、かつ、室外側の角部から室外側に向けてヒレ状に突出した部分である。より具体的に、第１のシール部４３ｄは、室外側に向かうにしたがって縦枠本体３１ｄ側に湾曲しながら突出する。また、第１のシール部４３ｄにおいて、縦枠本体３１ｄ側の面には、当該第１のシール部４３ｄの折り曲げの基点となる溝部４３１ｄが設けられている。そして、第１のシール部４３ｄは、閉状態でドア２に当接すると、溝部４３１ｄを基点として縦枠本体３１ｄ側に折り曲げられる。
第２のシール部４４ｄは、緩衝部４２ｄにおける室外側の面において、第１のシール部４３ｄよりも縦枠本体３１ｄ側の位置から室外側に向けてヒレ状に突出した部分である。また、第２のシール部４４ｄにおいて、根元には、縦枠本体３１ｄ側の面に当該第２のシール部４４ｄの折り曲げの基点となる溝部４４１ｄが設けられている。そして、第２のシール部４４ｄは、閉状態でドア２に当接すると、溝部４４１ｄを基点として縦枠本体３１ｄ側に折り曲げられる。
【００２２】
〔下枠の構成〕
図４は、建具１の要部拡大縦断面図である。
下枠３ｂは、下枠本体３１ｂと、下枠対向部３２ｂと、沓摺支持部３３ｂとを備える。
下枠本体３１ｂは、全長に亘って連通した略中空形状を有する。この下枠本体３１ｂの内面には、ビスホール３１１ｂが設けられている。そして、下枠本体３１ｂは、縦枠本体３１ｃ，３１ｄが縦勝ちで組み付けられ、当該縦枠本体３１ｃ，３１ｄ（室外側の部位３１１ｃ，３１１ｄ）を介して枠固定ネジ（図示略）をビスホール３１１ｂに螺合することにより、当該縦枠本体３１ｃ，３１ｄに接続する。
【００２３】
下枠対向部３２ｂは、下枠本体３１ｂにおける開口部Ｏｐに面する見込み面３１２ｂから枠体３の内側（図４中、上側）に突出し、閉状態でドア２と見込み方向に対向する戸当たりである。この下枠対向部３２ｂは、対向基部３２１ｂと、第１，第２の装着突起３２２ｂ，３２３ｂとを備える。
対向基部３２１ｂは、見込み面３１２ｂから枠体３の内側に突出した略平板形状を有する。
第１の装着突起３２２ｂは、対向基部３２１ｂの先端から室外側に向けて突出するとともに、先端が見込み面３１２ｂに向けて屈曲した形状を有する。
第２の装着突起３２３ｂは、対向基部３２１ｂにおいて、第１の装着突起３２２ｂよりも下方の位置から室外側に向けて突出するとともに、先端が第１の装着突起３２２ｂの先端に向けて屈曲した形状を有する。
そして、下枠対向部３２ｂには、対向基部３２１ｄ、第１，第２の装着突起３２２ｂ，３２３ｂにより、装着溝３２４ｂが設けられる。
【００２４】
ここで、下枠３ｂと戸先側縦枠３ｃ及び吊元側縦枠３ｄとを組み付けた状態では、下枠対向部３２ｂは、縦枠対向部３２ｃ，３２ｄと見込み方向の位置が同一の位置に位置付けられる。そして、下枠対向部３２ｂにおける戸先側の端部（戸先側の端面Ｅ３Ｒ（図３）側の部分）及び吊元側の端部（吊元側の端面Ｅ３Ｌ（図３）側の部分）は、縦枠対向部３２ｃにおける下方側の端面Ｅ０、及び縦枠対向部３２ｄにおける下方側の端面（図示略）の下方にそれぞれ位置する。
【００２５】
沓摺支持部３３ｂは、沓摺部材５を下方から支持する部分である。この沓摺支持部３３ｂは、支持基部３３１ｂと、支持片部３３２ｂと、第１，第２の係止突起３３３ｂ，３３４ｂとを備える。
支持基部３３１ｂは、対向基部３２１ｂから室内側に向けて延在した略平板形状を有する。この支持基部３３１ｂの下面には、ビスホール３３５ｂが設けられている。そして、沓摺支持部３３ｂは、縦枠本体３１ｃ，３１ｄが縦勝ちで組み付けられ、当該縦枠本体３１ｃ，３１ｄ（室外側の部位３１１ｃ，３１１ｄ）を介して枠固定ネジ（図示略）をビスホール３３５ｂに螺合することにより、当該縦枠本体３１ｃ，３１ｄに接続する。
【００２６】
支持片部３３２ｂは、支持基部３３１ｂにおける室内側の端部から上方側及び下方側に向けてそれぞれ突出した略平板形状を有する。
第１の係止突起３３３ｂは、対向基部３２１ｂの先端から室内側に向けて突出するとともに、先端が下方に向けて屈曲した形状を有する。
第２の係止突起３３４ｂは、支持片部３３２ｂにおける第１の係止突起３３３ｂに対向する位置から室外側に向けて突出するとともに、先端が下方に向けて屈曲した形状を有する。
そして、沓摺支持部３３ｂには、支持基部３３１ｂ、支持片部３３２ｂ、及び第１，第２の係止突起３３３ｂ，３３４ｂにより、装着溝３３６ｂが設けられる。
【００２７】
〔下枠気密材の構成〕
下枠気密材４ｂは、戸先側気密材４ｃと同様の材料で構成されている。この下枠気密材４ｂは、下枠対向部３２ｂの長手方向に沿って当該下枠対向部３２ｂの略全長に亘って延在し、全長に亘って略一様な断面形状を有する。また、下枠気密材４ｂは、戸先側気密材４ｃにおける被装着部４１ｃ及び緩衝部４２ｃとそれぞれ同様の被装着部４１ｂ及び緩衝部４２ｂを備える。そして、下枠気密材４ｂは、被装着部４１ｂが装着溝３２４ｂ内に挿通（装着）されることにより、下枠対向部３２ｂに取り付けられる。すなわち、下枠気密材４ｂは、下枠対向部３２ｂにおけるドア２と見込み方向に対向する側に取り付けられる。この状態では、下枠気密材４ｂにおける戸先側及び吊元側の各端面Ｅ４Ｒ，Ｅ４Ｌは、下枠対向部３２ｂにおける戸先側及び吊元側の各端面Ｅ３Ｒ，Ｅ３Ｌと図３中、左右方向の位置がそれぞれ略同一となる。また、下枠気密材４ｂにおける戸先側の端部（戸先側の端面Ｅ４Ｒ側の部分）及び吊元側の端部（吊元側の端面Ｅ４Ｌ側の部分）は、戸先側気密材４ｃにおける下方側の端面Ｅ２、及び吊元側気密材４ｄにおける下方側の端面（図示略）の下方にそれぞれ位置する。さらに、緩衝部４２ｂの上面は、下枠対向部３２ｂ（第１の装着突起３２２ｂ）の上面よりも上方に位置する。
【００２８】
また、下枠気密材４ｂは、第１，第２のシール部４３ｂ，４４ｂを備える。
第１のシール部４３ｂは、緩衝部４２ｂにおける室外側で、かつ、上方側の角部から室外側に向けてヒレ状に突出した部分である。より具体的に、第１のシール部４３ｂは、室外側に向かうにしたがって上方側に傾斜して突出している。また、第１のシール部４３ｂの下面において、根元と当該根元及び先端の間とには、当該第１のシール部４３ｂの折り曲げの基点となる複数（本実施の形態１では３つ）の溝部４３１ｂがそれぞれ設けられている。
ここで、緩衝部４２ｂにおいて、上方の側壁部は、見込み方向に沿ってドア２側に延在している。すなわち、緩衝部４２ｂは、本発明に係る基体に相当する。また、第１のシール部４３ｂは、緩衝部４２ｂにおけるドア２側の端部から上方に向けて屈曲している。すなわち、第１のシール部４３ｂは、本発明に係る屈曲片に相当する。
【００２９】
第２のシール部４４ｂは、緩衝部４２ｂにおける室外側の面において、第１のシール部４３ｂよりも下方側の位置から室外側に向けてヒレ状に突出した部分である。より具体的に、第２のシール部４４ｂは、緩衝部４２ｂにおける室外側の面から室外側に向けて上方に傾斜して突出した基端部４４１ｂと、当該基端部４４１ｂの先端から下方に向けて屈曲した先端部４４２ｂとを備えた断面略Ｌ字形状を有する。また、基端部４４１ｂの上面において、根元には、当該基端部４４１ｂの折り曲げの基点となる溝部４４３ｂが設けられている。さらに、先端部４４２ｂの下面において、根元には、当該先端部４４２ｂの折り曲げの基点となる溝部４４４ｂが設けられている。そして、第２のシール部４４ｂは、閉状態でドア２に当接すると、溝部４４３ｂを基点として基端部４４１ｂが上方に向けて折り曲げられるとともに、溝部４４４ｂを基点として先端部４４２ｂが下方に向けて折り曲げられる。
【００３０】
〔沓摺部材の構成〕
沓摺部材５は、例えば、加硫ゴム等の弾性を有する材料で構成されている。この沓摺部材５は、沓摺支持部３３ｂの長手方向に沿って当該沓摺支持部３３ｂの略全長に亘って延在し、全長に亘って略一様な断面形状を有する。そして、沓摺部材５は、被装着部５１と、沓摺部材本体５２と、張出部５３とを備える。
被装着部５１は、装着溝３３６ｂ内に挿通（装着）される部分である。
【００３１】
沓摺部材本体５２は、被装着部５１における装着溝３３６ｂ内から外部に突出した端部に接続し、水平方向に沿って延在した略平板形状を有する。そして、沓摺部材本体５２は、沓摺支持部３３ｂ（第１，第２の係止突起３３３ｂ，３３４ｂ）の上面に載置される。
張出部５３は、沓摺部材本体５２における室外側の端部から室外側に張り出した部分であり、水平方向に沿って延在した略平板形状を有する。そして、張出部５３は、下枠対向部３２ｂ（第１の装着突起３２２ｂ）の上面に載置される。すなわち、沓摺部材５は、沓摺支持部３３ｂの上面、及び下枠対向部３２ｂの上面を跨いで設けられている。また、張出部５３における室外側の端面は、緩衝部４２ｂにおける室内側の面に当接する。さらに、張出部５３の上面は、沓摺部材本体５２の上面よりも下方に段落ちしている。
【００３２】
ここで、沓摺部材５における戸先側及び吊元側の各端面Ｅ５Ｒ，Ｅ５Ｌは、沓摺支持部３３ｂにおける戸先側及び吊元側の各端面Ｅ３Ｒ，Ｅ３Ｌと図３中、左右方向の位置がそれぞれ略同一となる。このため、張出部５３における戸先側の端部（戸先側の端面Ｅ５Ｌ側の部分）及び吊元側の端部（戸先側の端面Ｅ５Ｒ側の部分）は、縦枠対向部３２ｃにおける下方側の端面Ｅ０と下枠対向部３２ｂ（第１の装着突起３２２ｂ）の上面との間、及び縦枠対向部３２ｄにおける下方側の端面（図示略）と下枠対向部３２ｂ（第１の装着突起３２２ｂ）の上面との間にそれぞれ挟まれる。
【００３３】
〔戸先側気密材にて下枠気密材における戸先側の端部が圧縮される様子について〕
次に、戸先側気密材４ｃにて下枠気密材４ｂにおける戸先側の端部が圧縮される様子について図５及び図６を参照して説明する。なお、吊元側気密材４ｄにて下枠気密材４ｂにおける吊元側の端部が圧縮される様子については、戸先側気密材４ｃにて下枠気密材４ｂにおける戸先側の端部が圧縮される様子と同様である。
図５及び図６は、戸先側気密材４ｃにて下枠気密材４ｂにおける戸先側の端部が圧縮される様子を説明する図である。具体的に、図５及び図６は、縦枠対向部３２ｃを通る位置で切断した縦断面図である。なお、図５及び図６では、説明の便宜上、ドア２及び戸先側縦枠３ｃを一点鎖線で図示している。また、図５は、下枠３ｂに対して戸先側縦枠３ｃを組み付けていない状態（戸先側気密材４ｃにて下枠気密材４ｂにおける戸先側の端部が圧縮されていない状態）を示している。さらに、図６は、下枠３ｂに対して戸先側縦枠３ｃを組み付けた状態（戸先側気密材４ｃにて下枠気密材４ｂにおける戸先側の端部が圧縮された状態）を示している。
【００３４】
下枠３ｂに対して戸先側縦枠３ｃを組み付けていない状態では、図５に示すように、緩衝部４２ｂの上面は、張出部５３の上面よりも上方に位置する。
そして、下枠３ｂに対して戸先側縦枠３ｃを組み付けた状態では、図６に示すように、縦枠対向部３２ｃにおける下方側の端面Ｅ０は、張出部５３の上面に当接する。ここで、上述したように、戸先側気密材４ｃにおける下方側の端面Ｅ２は、縦枠対向部３２ｃにおける下方側の端面Ｅ０と略同一の高さ位置にある。このため、緩衝部４２ｂは、戸先側気密材４ｃからの下方に向かう押圧力を直接、受け、下方に向けて弾性変形する。そして、緩衝部４２ｂの上面は、張出部５３の上面と略同一の高さ位置となる。また、第１のシール部４３ｂは、戸先側気密材４ｃからの下方に向かう押圧力を直接、受け、複数の溝部４３１ｂを基点として下方側に折り曲げられる。そして、第１のシール部４３ｂは、水平面に略平行となる姿勢となる。すなわち、下枠気密材４ｂと戸先側気密材４ｃにおける下方側の端面Ｅ２とが密着し、気密性及び止水性が確保される。また、第１のシール部４３ｂは、閉状態でドア２に当接すると、先端部分が上方側に折り曲げられる。
【００３５】
（実施の形態２）
次に、本実施の形態２について説明する。
以下の説明では、実施の形態１と同様の構成には同一符号を付し、その詳細な説明は省略または簡略化する。
図７は、図５に対応した図であって、本実施の形態２に係る建具１Ａの要部拡大縦断面図である。
本実施の形態２に係る建具１Ａでは、上述した実施の形態１で説明した建具１に対して、沓摺部材５の代わりに、張出部５３とは異なる形状の張出部５３Ａを有する沓摺部材５Ａを採用している。
【００３６】
張出部５３Ａは、沓摺部材本体５２における室外側の端部から室外側に張り出すとともに、先端が下方に向けて屈曲した形状を有する。そして、張出部５３の先端は、下枠対向部３２ｂ（第１の装着突起３２２ｂ）の上面に当接する。すなわち、沓摺部材５Ａは、沓摺支持部３３ｂの上面、及び下枠対向部３２ｂの上面を跨いで設けられている。そして、張出部５３と下枠対向部３２ｂ（第１の装着突起３２２ｂ）の上面との間には、間隙Ｓｐが設けられる。当該間隙Ｓｐには、沓摺部材５Ａよりも軟質の軟質体５４が設けられている。また、張出部５３Ａにおける室外側の端面は、緩衝部４２ｂにおける室内側の面に当接する。さらに、張出部５３Ａの上面は、沓摺部材本体５２の上面よりも下方に段落ちしている。
【００３７】
そして、下枠３ｂに対して戸先側縦枠３ｃを組み付けた状態では、具体的な図示は省略したが、張出部５３は、縦枠対向部３２ｃにおける下方側の端面Ｅ０からの下方に向かう押圧力を直接、受け、間隙Ｓｐが小さくなるように潰れる。また、当該間隙Ｓｐに設けられた軟質体５４も同様に潰れる。そして、当該軟質体５４により、張出部５３Ａと下枠対向部３２ｂにおける戸先側の端部との間の止水性が確保される。なお、縦枠対向部３２ｄと下枠対向部３２ｂにおける吊元側の端部との間でも同様の現象が生じる。
【００３８】
（その他の実施の形態）
ここまで、本発明を実施するための形態を説明してきたが、本発明は上述した実施の形態１，２によってのみ限定されるべきものではない。
上述した実施の形態１，２では、本発明に係る建具として、開き戸である玄関ドア等の建具を例示したが、これに限らず、玄関以外の場所に用いられてもよく、開き戸以外の引き戸や折れ戸として構成しても構わない。また、本発明に係る建具としては、外開きに限らず、内開きの開き戸で構成しても構わない。
上述した実施の形態１，２において、下枠気密材４ｂにおける戸先側の端部と戸先側気密材４ｃにおける下方側の端面Ｅ２との間の止水性をより高めるために、当該間にシーラーを挟み込んでも構わない。下枠気密材４ｂにおける吊元側の端部と吊元側気密材４ｄにおける下方側の端面との間も同様である。
【００３９】
本発明に係る建具は、室内外を連通する開口部を開閉自在とする開閉体と、前記開口部を形成する枠体とを備えた建具であって、前記枠体は、前記開閉体が前記開口部を閉塞した閉状態で前記開閉体に当接する下枠気密材、及び弾性を有する沓摺部材が取り付けられた下枠と、前記閉状態で前記開閉体に当接する縦枠気密材が取り付けられた縦枠とを備え、前記下枠は、前記閉状態で前記開閉体と見込み方向に対向し、前記開閉体と見込み方向に対向する側に前記下枠気密材が取り付けられる下枠対向部と、前記下枠対向部に対して前記開閉体から離間する側に設けられ、前記沓摺部材を下方から支持する沓摺支持部とを備え、前記縦枠は、前記閉状態で前記開閉体と見込み方向に対向するとともに前記下枠対向部の上方に配置され、前記開閉体と見込み方向に対向する側に前記縦枠気密材が取り付けられる縦枠対向部を備え、前記沓摺部材は、前記沓摺支持部の上面、及び前記下枠対向部の上面を跨いで設けられ、一部が前記下枠対向部と前記縦枠対向部との間に挟まれていることを特徴とする。
【００４０】
本発明では、沓摺部材の一部は、下枠対向部と縦枠対向部との間に挟まれている。すなわち、下枠対向部と縦枠対向部との間の止水性を確保する機能を当該沓摺部材の一部に持たせている。
このため、本発明に係る建具によれば、当該建具を組み立てるにあたり、従来に行っていた沓摺部材に切欠きを入れる作業、及び、下枠対向部と縦枠対向部との間にシーラーを挟み込む作業が不要となり、組立性を向上させることができる。
【００４１】
また、本発明は、上述した建具において、前記下枠気密材は、前記縦枠気密材からの下方に向かう押圧力により、下方に向けて押圧されていることを特徴とする。
本発明によれば、下枠気密材が上述したように押圧されているため、当該下枠気密材と縦枠気密材とを密着させることができる。これにより、下枠気密材と縦枠気密材との間の気密性及び止水性を十分に確保することができる。なお、下枠気密材と縦枠気密材との間にシーラー等の他の部材を挟み込んだ場合であっても同様に、縦枠気密材からの下方に向かう押圧力が当該他の部材を介して下枠気密材に作用するため、下枠気密材と縦枠気密材との間の気密性及び止水性を十分に確保することができる。
【００４２】
また、本発明は、上述した建具において、前記沓摺部材は、前記沓摺支持部の上面に位置する部位に対して前記下枠対向部と前記縦枠対向部との間に挟まれた部位が下方に段落ちした形状を有することを特徴とする。
本発明によれば、沓摺部材における上述した部位が下方に段落ちしているため、下枠気密材に対する縦枠気密材からの下方に向かう押圧力を高めることができる。すなわち、下枠気密材と縦枠気密材との間の気密性及び止水性をさらに高めることができる。
【００４３】
また、本発明は、上述した建具において、前記沓摺部材と前記下枠対向部の上面との間には、間隙が設けられていることを特徴とする。
本発明によれば、沓摺部材が縦枠対向部からの下方に向かう押圧力により上述した間隙が小さくなるように潰れるため、下枠気密材に対する縦枠気密材からの下方に向かう押圧力を高めることができる。すなわち、下枠気密材と縦枠気密材との間の気密性及び止水性をさらに高めることができる。
【００４４】
また、本発明は、上述した建具において、前記間隙には、前記沓摺部材よりも軟質の軟質体が設けられていることを特徴とする。
本発明では、縦枠対向部からの下方に向かう押圧力により上述した間隙が小さくなるように沓摺部材が潰れた場合には、当該間隙に設けられた軟質体も潰れる。そして、当該軟質体により、沓摺部材と下枠対向部との間の止水性を確保することができる。
【００４５】
また、本発明は、上述した建具において、前記下枠気密材は、前記縦枠気密材から直接、押圧されていることを特徴とする。
本発明によれば、下枠気密材が縦枠気密材から直接、押圧されているため、当該下枠気密材と当該縦枠気密材との間にシーラー等の他の部材を挟み込むことなく、当該下枠気密材と当該縦枠気密材との間の気密性及び止水性を確保することができる。また、当該他の部材を挟み込み必要がないため、建具の組立性も向上させることができる。
【００４６】
また、本発明は、上述した建具において、前記下枠気密材は、見込み方向に沿って前記開閉体側に延在した基体と、前記基体における前記開閉体側の端部から上方に向けて屈曲した屈曲片とを備え、前記屈曲片の下面には、前記基体に対して前記屈曲片を下方に折り曲げる基点となる溝部が設けられていることを特徴とする。
本発明では、屈曲片の下面には、上述した溝部が設けられている。このため、屈曲片は、縦枠気密材からの下方に向かう押圧力によって、溝部を基点として下方側に折り曲げられる。そして、屈曲片は、水平面に略平行となる姿勢となる。すなわち、下枠気密材と縦枠気密材との間の密着性をさらに高め、当該下枠気密材と縦枠気密材との間の気密性及び止水性をさらに高めることができる。なお、下枠気密材と縦枠気密材との間にシーラー等の他の部材を挟み込んだ場合であっても同様に、縦枠気密材からの下方に向かう押圧力が当該他の部材を介して屈曲片に作用するため、下枠気密材と縦枠気密材との間の気密性及び止水性をさらに高めることができる。
【符号の説明】
【００４７】
１，１Ａ  建具、２  ドア（開閉体）、３  枠体、３ｂ  下枠、３ｃ  戸先側縦枠（縦枠）、３ｄ  吊元側縦枠（縦枠）、４ｂ  下枠気密材、４ｃ  戸先側気密材（縦枠気密材）、４ｄ  吊元側気密材（縦枠気密材）、５，５Ａ  沓摺部材、３２ｂ  下枠対向部、３２ｃ，３２ｄ  縦枠対向部、３３ｂ  沓摺支持部、４２ｂ  緩衝部（基体）、４３ｂ  第１のシール部、５４  軟質体、４３１ｂ  溝部、Ｏｐ  開口部、Ｓｐ  間隙
【図１】
2020033709.tif 000003
【図２】
2020033709.tif 000004
【図３】
2020033709.tif 000005
【図４】
2020033709.tif 000006
【図５】
2020033709.tif 000007
【図６】
2020033709.tif 000008
【図７】
2020033709.tif 000009